(57)【要約】【課題】高コストにすることなく信頼性のあるミラー信号を形成することが可能な光学記録媒体への書き込み又は該媒体からの読み出し用装置を提供する。【解決手段】情報を記録し又は読み出すためのデータトラックと、該データトラックを走査するための走査手段と、光学記録媒体に格納された情報に従って変調された信号を出力する検出手段と、トラック検出器とを有しており、リファレンス値トランスミッタを用いてミラー信号を発生し、該ミラー信号は走査手段がデータトラックを走査するかどうかを指示するものである装置において、リファレンス値トランスミッタは、ミラー信号が適応リファレンス値トランスミッタの可変的な入力として与えられるものである。【選択図】図１
2008269783.tif 000002
【特許請求の範囲】
【請求項１】
データトラックを走査するための走査手段と、光学記録媒体に格納された情報に従って変調された信号（ＨＦ）を出力する検出手段と、トラック検出器（１）とを有しており、リファレンス値トランスミッタを用いてミラー信号を発生し、該ミラー信号は走査手段がデータトラックを走査するかどうかを指示するものである、情報を記録し又は読み出すためのデータトラックを有する光学記録媒体（ＡＴ）への書き込み又は該媒体からの読み出し用装置において、
前記リファレンス値トランスミッタ（４）は、前記ミラー信号（Ｍ）が適応リファレンス値トランスミッタに可変的な入力として与えられるものであることを特徴とする装置。
【請求項２】
前記適応リファレンス値トランスミッタ（４）は、その入力部に前記ミラー信号（Ｍ）及び内部リファレンス値が加えられ、その出力部がリミッタの入力部に接続されている追加手段を含んでおり、該リミッタの出力部に前記内部リファレンス値が出力され且つ低減手段の入力部へ接続され、該低減手段の出力部でリファレンス値が出力されることを特徴とする請求項１に記載の装置。
【請求項３】
１つのエンベロープ検出器（２）を含んでおり、該検出器（２）の入力部に変調信号（ＨＦ、ＨＦＩ）が与えられ、該検出器（２）の出力部に比較器ユニット（３）が接続されており、該比較器ユニット（３）は、他方で、前記リファレンス値トランスミッタ（４）に接続され、該ユニット（３）の出力部で前記ミラー信号（Ｍ）がピックオフされ得ることを特徴とする請求項１又は２に記載の装置。
【請求項４】
前記エンベロープ検出器（２）は、デジタルフィルタを有することを特徴とする請求項３に記載の装置。
【請求項５】
前記デジタルフィルタは、乗算器（１１）又は加算器（１２）を有することを特徴とする請求項４に記載の装置。
【請求項６】
前記トラック検出器（１）は、与えられたリファレンス値（Ｒ）から上位及び下位スレッショルド値（Ｓ１、Ｓ２）を形成するためのスレッショルド値形成手段（１９、２０）と、その第１の入力部に前記比較器ユニット（３）のそれぞれの入力信号（ＨＳ）が与えられ、その第２の入力部に上位及び下位スレッショルド値（Ｓ２、Ｓ１）がそれぞれ与えられている第１及び第２の比較器（２２、２３）と、その入力部が該第１及び第２の比較器（２２、２３）の出力部に接続され、その出力が前記ミラー信号（Ｍ）に対応する信号形成手段（２４、２５）とを有する比較器ユニット（３）を有していることを特徴とする請求項１から５のいずれか１項に記載の装置。
【請求項７】
前記適応リファレンス値トランスミッタ（４）は、デジタルローパスフィルタ（１５、１６、１７）を有する請求項１から６のいずれか１項に記載の装置。
【請求項８】
前記変調信号（ＨＦ）は、アナログデジタルコンバータ（６）に与えられ、該変調信号（ＨＦ）の値の制限された範囲を単にデジタル化だけをし、該コンバータ（６）の出力部が前記トラック検出器（１）に接続されることを特徴とする請求項１から７のいずれか１項に記載の装置。
【請求項９】
デフェクト検出器（５）が、前記アナログデジタルコンバータ（６）の出力部に接続されていることを特徴とする請求項８に記載の装置。
【請求項１０】
前記デフェクト検出器（５）は、２進カウンタであることを特徴とする請求項９に記載の装置。
【請求項１１】
光学記録媒体（ＡＴ）への書き込み又は該媒体からの読み出し用の装置のリファレンス値としての動作パラメータを変更するための方法であって、
入力信号（ＨＦ）がアナログデジタル変換にもたらされ且つインバートされる段階と、
得られたデジタル値（ＨＦＩ）が、記憶部（１０、１０′）に予め含まれた値よりも大きいならば該記憶部（１０、１０′）に格納され、そうでなければ該記憶部（１０、１０′）に通常入っている値が減少され且つ該記憶部（１０、１０′）内に新たに格納される段階と、
前記記憶部（１０、１０′）に入っている値（ＨＳ）が、上位及び下位スレッショルド値（Ｓ２、Ｓ１）と比較され、該値（ＨＳ）が上位スレッショルド値（Ｓ２）を越えるならば、ミラー信号（Ｍ）が第１の値「Ｌ」に設定され、該値（ＨＳ）が下位スレッショルド値（Ｓ１）よりも下に落ちるならば、該ミラー信号（Ｍ）が第２の値「Ｈ」に設定され、前述の状態にないならば、該ミラー信号（Ｍ）が予めクロックサイクルと比較すると変更されることなく残存する段階と、
既存の内部リファレンス値（ＲＩ）は、前記ミラー信号（Ｍ）が第１の値「Ｌ」を再びとるならば、少なくとも１ビットだけ増加され、該ミラー信号（Ｍ）が第２の値「Ｈ」をとるならば少なくとも１ビットだけ減少される段階と、
この方法で得られた前記内部リファレンス値（ＲＩ）は、その大きさが所定の最大値を越えないように制限される段階と、
前記内部リファレンス値（ＲＩ）の所定数の最上位ビットは、変化する動作パラメータ「リファレンス値」（Ｒ）として出力される段階と
を有することを特徴とする方法。
【発明の詳細な説明】
【技術分野】
【０００１】
本発明は、請求項１の前段による光学記録媒体への書き込み又は該媒体からの読み出し用装置に関しており、該装置は、ミラー信号を生成するトラック検出器を有する。該ミラー信号は、データトラックか又は２つのデータトラック間の領域のどちらか一方が走査されることを指示するものである。
【背景技術】
【０００２】
例えば、ベルンド・ロデクアートらの「Erfolgreicher CD-Player Service 」「良好なＣＤプレーヤサービス」、フランジス出版、１９９４年３月によるＩＣのCXA1081Mに備えられた公知の装置は、変調信号の上位及び下位のエンベロープを形成するための手段を持つトラック検出器を有する。これらエンベロープ間の差が形成され、その差分値は、比較器を用いてリファレンス値と比較される。差分値が、リファレンス値より下にあるならば、そのときミラー信号は「低」値に、そうでなければ「高」値に設定される。リファレンス値は、固定した所定の回路配置を用いてエンベロープ間の差分値から決定される。
【発明の開示】
【発明が解決しようとする課題】
【０００３】
公知の装置は、決定するミラー信号が、許容差に影響を及ぼし且つそれゆえ組み立ての後で互いに調整しなければならない、複数のアナログ部品の使用を必要とするという欠点を有する。例えば、それらの偏心(eccentricity)等の、読み出し又は書き込みのための光学記録媒体の反射率の変化のような、装置の定常動作中に発生するデフェクト源は、限定されたエクステントに対して補償できるだけである。
【０００４】
本発明の目的は、高コストにすることなく信頼性のあるミラー信号を形成することが可能な、前述のタイプの装置を提案することである。
【課題を解決するための手段】
【０００５】
この目的は、適応リファレンス値トランスミッタにミラー信号が可変的な入力として与えられるように、リファレンス値トランスミッタを設計する、請求項１の特徴部分に記載される手段を用いて達成される。これは、リファレンス値を定常動作中でさえ、常に最適に適応できる。特に、トラックジャンピングのイベントにおいて、理想的なミラー信号は、５０：５０の「高」「低」比、即ちＨ：Ｌ比を有する。しかし、リファレンス値の決定が、用いられる部品の特性によって規定されているために、これは、適応リファレンス値トランスミッタを提供しない従来の装置の場合に、およそ従うことができるだけである。光学記録媒体は、例えば、オーディオＣＤ、ＤＶＤ、ＣＤ−ＲＯＭ、ＣＤ−Ｒ等のようなディスク形状であってもよいが、光学記録媒体の他の形状は、例えばテープ形状の光学記録媒体にも同様に用いられることに利点がある。データトラックは、ディスク形状の記録媒体上に同心に又は螺旋に通常配置されているが、中間領域によって分離された調整トラックの他の配置を有する記録媒体の使用もまた、本発明の見地の中にある。この場合、情報を、偏光方向の回転として又は他の適切な方法において、明／暗情報として通常実現できる。走査手段は、読み出しヘッド又は書き込みヘッド、読み出し及び書き込みヘッドの組み合わせ又は単なるトラッキング走査手段であるのが好ましい。検出手段は、通常、光検出器を有しており、例えばトラッキングのために、情報信号を再生し且つ装置を調整するために用いられた電気信号に光信号を変換する。
【０００６】
本発明は、内部リファレンス値を形成するための手段を有するために、適応リファレンス値トランスミッタを提供しており、その手段の出力は、リファレンス値を出力する低減手段(reduction means) の入力に接続される。この場合、適切な方法でミラー信号に論理的に組み合わせる内部リファレンス値を供給する。これは、値１からミラー信号のＨ：Ｌ比の所望しない偏差が、ミラー信号に論理的に組み合わせる内部リファレンス値によって訂正され、同時に、低減手段は、ミラー信号の全ての偏差が結果としてリファレンス値の変化に起因しないことを保証するという利点を有する。低減手段は、例えば、１０の要因による内部リファレンス値を低減する割算器であるのが好ましい。低減は、例えばｍビットを有する内部リファレンス値の上位ｎビットのｍ＞ｎのように、内部リファレンス値のより上位ディジットのみを用いることによってもたらされるのも好ましい。
【０００７】
有効な本発明による装置は、１つのエンベロープ検出器を含んでおり、該検出器の入力に変調信号が与えられ、該検出器の出力に比較器ユニットが接続されており、該ユニットは、他方でリファレンス値トランスミッタに接続され、ミラー信号を供給する。これは、従来技術に従って必要となる第２のエンベロープ検出器を省くことが可能であり、それにもかかわらず、例えばディスク振動によって生じた干渉に大きく依存しないミラー信号が発生される。本発明による適応リファレンス値トランスミッタの助けに伴って、上位及び下位の両方のエンベロープの決定と、これら２つのエンベロープの連続の比較とを省くことが可能である。
【０００８】
本発明は、デジタルフィルタを有するエンベロープ検出器を提供する。このフィルタは、その入力値が記憶部に予め入っている値よりも大きいならば、その入力値を格納し、そうでなければ、記憶部に予め入っている値が減少され且つ記憶部に新たに渡される。これは、最後のピーク値の遅減衰(slow decay)が達成され、すぐに新しいピーク値が発生するという利点があり、初期値を置き換える。従って、デジタルフィルタによって出力された値は、入力信号のスムーズな上位エンベロープに対応する。
【０００９】
有効なデジタルフィルタは、乗算器又は加算器を有する。この場合に、記憶部に入っている値を低減するためのオプションは、簡単で、今なお有効である。低減は、１よりも小さい値によって記憶部の内容を乗算することによるか、又は加算器を使用するならば、特定の負値の追加によって簡単に効果的になる。加算器のオプションを、デジタルフィルタの特別な簡単な方法で実現できる。
【００１０】
本発明は、更に、上位及び下位のスレッショルド値を有する入力信号の比較から、ミラー信号を形成する比較器ユニットを有するトラック検出器を提供する。ミラー信号は、入力信号が下位スレッショルド値より下に落ちるならば「低」に、上位スレッショルド値を越えるならば「高」に設定される。これは、ミラー信号がヒステリシスの程度で入力信号の関数としてデジタル的に形成され、その結果、ミラー信号は、限界領域の「高」及び「低」値の間のジャンプ後及び前(jump back and forth) でないという効果を有する。例えば、スレッショルド値がその値によって与えられたリファレンス値からはずれることを許容されることを記載することによって、ヒステリシスの領域は、光学記録媒体等のデバイスのそれぞれの状態に最適に適応され得る。この場合、ミラー信号はトラックをカウントするために用いられ、従って、特定の状況の下で大量のトラック数がカウントされるために、この方法を避ける限定領域のジャンピング後及び前は、特に、トラックジャンピングのイベントに有効である。最も簡単な場合に、スレッショルド値を形成する手段は、リファレンス値から所定のヒステリシス値を加算し且つそれぞれを減算する加算器及び減算器である。この場合、所定値を装置の又は光学記録媒体のそれぞれの状態に適応できる。リファレンス値は、リファレンステーブルから発生し、又は有効に適応して決定されるのが好ましい。信号形成手段は、ミラー信号を形成する。入力信号が上位スレッショルド値を越えるならばミラー信号の値は「低」に設定され、下位スレッショルド値よりも落ちるならばミラー信号の値は「高」に設定され、これらの状態にないならば引継いで変更される。このタイプの信号形成手段を実現するための簡単なオプションは、ＲＳフリップフロップの使用からなる。
【００１１】
本発明によれば、適応リファレンス値トランスミッタは、デジタルローパスフィルタを有する。これは直流電圧部品及び低周波数部品が集積され且つ続いて変更されるリファレンス値が明らかとなるという効果を有する。従って、このリファレンス値は、１：１比に達するまでＬ：Ｈ関係を変更する。直流電圧部品は、結果として、ミラー信号のＬ及びＨ部品の不定分散になり、しかしながら、理想的に、トラック及び空間が同一幅を有するために、トラックジャンピングのイベントのＬ：Ｈ＝１の比を有する。
【００１２】
更に、本発明は、値の制限範囲をデジタル化するだけのアナログデジタルコンバータに既に与えられるべき変調信号を提供する。これは、例えば、最大信号の７０％から１００％の間の範囲とするのが好ましい。これは、読み出すべき情報がその中に含まれる信号増幅器の範囲が、更に処理するようになされることのみに効果を有する。この範囲の外側にある値は、一般にデフェクトによって生じるか又はこのような大きいエクステントに害され、更に特に用いられることができず且つ対象から外される。アナログデジタルコンバータのみが、入力値のより小さい範囲をカバーしなければならないために、同一の複雑さを与えられるより高い精度の出力値を供給することができ、同じ残りの精度でより簡単に構成され得る。
【００１３】
本発明によれば、デフェクト検出器は、アナログデジタルコンバータの出力に接続されており、この検出器が追加のアナログデジタルコンバータを必要とすることなしにデジタル設計することができる。
【００１４】
従って、簡単に構成された標準部品を用いてデフェクト信号を発生することが可能であるために、２進カウンタとしてデフェクト検出器を設計するために特に有効である。この場合、通常の場合に、比較的長い時間周期に渡って、最大値の５０％よりも大きく決してならない変調信号の特性が利用される。そうでなければデフェクトが提供される。この場合、２進カウンタがクロック信号をカウントし、デジタル化された変調信号の最上位ビットだけ０に設定され、クロックサイクルの所定数が再び０に設定されることになく経過するときに、デフェクトメッセージを出力する。
【００１５】
光学記録媒体に書き込み又は該媒体から読み出すための発明装置の、特に動作パラメータ「リファレンス値」を変更するための方法の請求項に記載された方法は、前述の装置の中で有効に使用される。この方法は、リファレンス値を発明に従う方法を用いる変化状態に適応して整合できるために、対応する装置の製造の標準値の設定を省くことができるようにする。
【００１６】
本発明の更なる効果を、模範となる実施形態の以下の説明の中に見つけることができるが、本発明は模範となる実施形態に限定されない。
【発明を実施するための最良の形態】
【００１７】
図１は、本発明による装置のブロック図を説明する。この場合、装置の検出手段から到着し、且つ光学記録媒体に格納された情報に従って変調されるアナログ信号ＨＦは、ミラー信号Ｍ及びデフェクト信号Ｄを出力するトラック検出器１に与えられる。トラック検出器１はエンベロープ検出器２を有しており、該検出器２の出力信号であるエンベロープ信号ＨＳが比較器ユニット３に与えられ、該比較器ユニットの出力信号がミラー信号Ｍである。比較器ユニット３の他方の入力は、適応リファレンス値トランスミッタ４の出力に接続され、該トランスミッタ４の入力へミラー信号Ｍが与えられる。トラック検出器１は、入力信号からデフェクト信号Ｄを生成するデフェクト検出器５を付加的に備えている。模範となる実施形態において、トラック検出器１はデジタルベースで動作しており、変調信号ＨＦがアナログであるために、まず最初に、アナログデジタルコンバータ６を用いてデジタル化され、且つインバータ７を用いてインバートされる。インバータ７はまた、トラック検出器１に既に割り当てられてもよいが、他方で、アナログデジタルコンバータ６及びインバータ７の順序を交替させることが可能となり、この場合、インバータはアナログ部品となる。一度、変調信号ＨＦがデジタル化され且つインバートされれば、トラック検出器１の入力に信号ＨＦＩとして渡す。これから、エンベロープ検出器２は、比較器ユニット３において、リファレンス値トランスミッタ４によって出力されるリファレンス値Ｒと比較される上位エンベロープを形成する。比較器ユニット３はミラー信号Ｍを生成し、一方で出力され、他方で適切ならばリファレンス値Ｒを適応させる適応リファレンス値トランスミッタ４によって用いられる。
【００１８】
図２は、本発明による装置内で発生する多数の重要な信号を説明する。アナログデジタルコンバータ６の値のレンジ内で、デジタル化され且つインバートされた変調信号ＨＦＩが明らかとなっている。上位又は下位のこの値ａの範囲にある全ての値は、値ａの範囲の上位又は下位のどちらか一方の限界値とする。値ａの範囲は、実際に発生する値を含むように選択される。エンベロープ信号ＨＳは、エンベロープ検出器２を用いてインバートされた信号ＨＦＩから生成される。信号ＨＳの値が該信号ＨＳの先行する値よりも大きいならば、信号ＨＳは信号ＨＦＩの値をとり、そうでなければ信号ＨＳは落下特性をとる。エンベロープ検出器２の模範となる実施形態が、図３及び図４を参照して以下に記載されている。エンベロープ信号ＨＳは、比較器ユニット３においてリファレンス値Ｒと比較される。エンベロープ信号ＨＳが下位のスレッショルド値Ｓ１よりも下に落ちるならば、ミラー信号Ｍがレベル「高」に設定され、エンベロープ信号ＨＳが上位のスレッショルド値Ｓ２を実質的に越えるならば、ミラー信号Ｍが「低」に設定される。対応する変化は、ｂ及びｃそれぞれによって見分けられた位置で図２において見いだされる。更に、以下に説明するように、上位スレッショルド値Ｓ２及び下位スレッショルド値Ｓ１は、リファレンス値Ｒの関数として形成される。該リファレンス値Ｒは、次々に、トラックジャンピングのイベントにおけるミラー信号Ｍの高低フェーズにの時間比が値１をとるように、適応リファレンス値トランスミッタ４において形成される。
【００１９】
図３は、エンベロープ検出器２の第１の実施形態を表している。該検出器２の入力信号ＨＦＩは、アナログデジタルコンバータ６を用いてデジタル化され、且つインバータ７を用いてインバートされた変調信号ＨＦである。この場合、アナログデジタルコンバータ６は、クロック周波数ｆ１で動作する。比較器８において、インバートされた信号ＨＦＩは、エンベロープ検出器２の出力信号であるエンベロープ信号ＨＳと比較される。比較器８の出力信号は、２：１切換器９を制御する。比較器８が、信号ＨＦＩが信号ＨＳよりも大きいことを示す信号を出力するときに、信号ＨＦＩが加えられる切換器９の入力は、切換器９の出力に接続される。そうでなければ、切換器９の第２の入力が、該切換器９の出力に接続される。切換器９の出力は、周波数ｆ１で同様にクロックされるレジスタ１０に接続され、その出力でエンベロープ信号ＨＳがピックオフされ得る。エンベロープ信号ＨＳは、乗算器１１の入力に与えられ、その乗算係数はそれが１よりも小さくなるように選択される。乗算器１１の出力は、切換器９の第２の入力に接続される。図３に説明されたエンベロープ検出器２の動作方法は、以下のようになる。インバートされた信号ＨＦＩがエンベロープ信号ＨＳよりも大きい限り、インバートされた信号ＨＦＩの値は、レジスタ１０に書き込まれ、次のクロックサイクルのエンベロープ信号ＨＳとして出力される。そうでなければ、乗算器１１によって出力された値が、レジスタ１０に書き込まれ、次のクロックサイクルでエンベロープ信号ＨＳとして出力される。乗算器の係数が１よりも小さいために、エンベロープ信号ＨＳの値は、状態ＨＦＩ＜ＨＳが真に保持される限り、時間と共に減少する。
【００２０】
図４は、簡単なエンベロープ検出器２´を説明する。たいてい部分については、図３を参照して記載されたエンベロープ検出器２に対応する。従って、それらと比較して異なる部品及び関数だけが、ここに記載されている。乗算器１１の代わりに、全加算器１２が提供されている。その入力に加えれられるものは、一方はエンベロープ信号ＨＳであり、他方はこの場合−１に予め決められた値に固定されている。全加算器１２の出力は、切換器９の第２の入力に接続されており、全加算器１２のキャリーＣはレジスタ１０´に与えられる。キャリーＣ＝０ならばレジスタ１０´の内容が消去され、キャリーＣ＝１ならば変化せずに残される。全加算器１２は、２の補数表現で、入力におかれた定数−１を受信し、エンベロープ信号ＨＳが既に値０を有するときにのみキャリーが０となる。図４を参照して記載されているエンベロープ検出器２´の形態は、図３を参照して記載されたものよりもデジタルベースにおいてより簡単に描写されている。しかし、それにも関わらず、適したエンベロープ信号ＨＳを供給する。
【００２１】
図５は、適応リファレンス値トランスミッタ４の概略的な説明を表している。この場合、並列に１ビット以上転送するデータ線は、ストロークと、並列に転送される多数ビットの詳細とによって図５及び図６に指示される。ミラー信号Ｍは、２：１切換器１３に与えられ、該切換器はミラー信号がレベル「高」ならば信号−１を、ミラー信号がレベル「低」ならば信号＋１を出力する。切換器１３の出力信号は、結果として２の補数の２ビットからなり、値−１は、２進数１１Ｄに対応し、値＋１は２進数０１Ｄに対応する。切換器１３の出力は、周波数ｆ２でクロックされるデジタルフリップフロップ１４に接続されている。デジタルフリップフロップ１４の出力は、１０ビット表現の値を出力する加算器１５の入力に接続される。従って、デジタルフリップフロップ１４と加算器１５との間に挿入され、その符号拡張における２ビット表現の上位ビットＭＳＢは、１０ビット表現の上位９ビットに転送される。一方で、また、２ビット表現の最下位ビットＬＳＢは、１０ビット表現のためのＬＳＢとして引き継ぐ。加算器１５のキャリー入力は常に値０に設定され、一方でキャリー出力は何等役割がない。加算器１５の出力は、リミッタ１６に接続される。
【００２２】
リミッタ１６は、その入力での１０ビット表現の値を９ビット表現の値に制限する。９ビットの２の補数表現の値は、１０進表現の−５１２から＋５１１までの範囲にできるために、この範囲の外側にある入力値は、リミッタ１６によって−５１２又は＋５１１として出力される。
【００２３】
リミッタ１６の出力は、周波数ｆ２としてクロックされるデジタルフリップフロップ１７の入力に接続される。内部リファレンス値ＲＩは、デジタルフリップフロップ１７の出力で提供される。デジタルフリップフロップ１７の出力は、一方で、１０ビットの符号拡張を介して加算器１５の第２の入力に接続され、他方で、低減手段１８の入力に接続される。低減手段１８は、リファレンス値Ｒとして内部リファレンス値ＲＩの上位６ビットのみを出力する。従って、内部リファレンス値ＲＩは、ミラー信号Ｍの値の関数として加算器１５の値１によって、増加され又は減少され、リミッタの最大値に限定され、次のクロックサイクルのデジタルフリップフロップ１７によって現在の内部リファレンス値ＲＩとして出力される。リファレンス値Ｒは、単に内部リファレンス値ＲＩの上位６ビットだけを備えており、値ＲＩのわずかな変動は、リファレンス値Ｒの変動にもたらされない。ミラー信号ＭのＨ：Ｌ比が比較的長い時間周期に渡って平均したときに値１からはずれるならば、リファレンス値Ｒは適応される。模範となる実施形態において、リファレンス値トランスミッタ４は、簡単なローパスフィルタとして記載されており、効果として６ビットへの減少は、このローパスフィルタの利得係数１／８と認める。
【００２４】
クロック周波数ｆ１＝８．４６７２ＭＨｚは、ＨＦ信号、即ちデータ信号が処理されるところの周発すとなる。ミラー信号Ｍは、約２０ＭＨｚの領域の最大周波数を有しているために、特にデジタルフィルタの部品のコストを低く維持するためのｆ１よりも少ないミラー信号Ｍを処理するために用いられる周波数を実際に選択する。模範となる実施形態において、それゆえ、周波数ｆ２＝４４．１ｋＨｚが選択される。
【００２５】
リファレンス値Ｒは、ミラー信号Ｍの５０％デューティサイクル、即ち比Ｈ：Ｌ＝１が達成されるように適応リファレンス値トランスミッタ４を用いて適応される。光学記録媒体のトラック幅及び２つのトラック間の領域の幅が同じであるか、又は少なくとも実質的に同じであるために、理想的なミラー信号Ｍはトラックジャンピング動作中のこのタイプの特徴を有する。これが、その場合でないならば、ミラー信号が「高」であるフェーズが「低」であるフェーズよりも長くなるか又はその逆になる。従って、適応リファレンス値トランスミッタ４は、直流電圧部品及び低周波数部品を集積する一次ローパスフィルタを有する。低周波数部品は、例えば、記録媒体の縦可傾(vertical tilting)によって、記録媒体から反射された光の強度の変化によって、又は記録媒体の偏心によって生じられ得る。
【００２６】
図６は、本発明に従って比較器ユニット３を説明するリファレンス値Ｒは、６ビット値の最上位ビットの値をとる８ビット値の３つの先行ビットによって、６から８ビットに拡張される。リファレンス値Ｒの拡張値は、第１の加算器１９及び第２の加算器２０に与えられる。リファレンス値Ｒから決定された２つのスレッショルド値Ｓ１及びＳ２の分離を決定するヒステリシス値Ｈは、模範となる実施形態の６ビットのデジタル値をとして明示されている。両方０に設定された２つの最上位ビットの追加によって８ビット値に拡張される。ヒステリシス値Ｈは、第１の加算器１９の第２の入力に、及び８ビットインバータ２１を介して第２の加算器２０の第２の入力に与えられる。値０は、第１の加算器１９のキャリー入力に与えられ、一方で、値１は第２の加算器２０のキャリー入力に与えられる。従って、上位スレッショルド値Ｓ２は、第１の加算器１９の出力で出力され、低スレッショルド値Ｓ１は、第２の加算器２０の出力で出力される。
【００２７】
２の補数表現（−１２８から＋１２７まで）から、オフセット２進数表現（０から２５５まで）を得るために、比較器２３及び２２のそれぞれの入力Ｂに通される前に、スレッショルド値Ｓ１及びＳ２のＭＳＢがインバートされる。
【００２８】
上位スレッショルド値Ｓ２は第１の比較器２２の第２の入力に渡され、低スレッショルド値Ｓ１は第２の比較器２３の第２の入力へ渡される。エンベロープ信号ＨＳは、比較器２２及び２３の第１の入力へ加えられる。エンベロープ信号ＨＳが上位スレッショルド値Ｓ２よりも大きいならば、第１の比較器２２は信号「低」を出力する。エンベロープ信号ＨＳが低スレッショルド値Ｓ１よりも小さいならば、第２の比較器２３は信号「低」を出力する。比較器２２及び２３の出力は、クロック周波数ｆ１でクロックされる２ビットデジタルフリップフロップ２４に接続される。フリップフロップ２４の出力は、ＲＳフリップフロップ２５の入力に接続される。ＲＳフリップフロップ２５は、「活性的な低」で動作し、即ちフリップフロップ２４がＲＳフリップフロップのＳによって指示された設定入力に「低」信号を出力するならば、ＲＳフリップフロップの出力は１に設定される。他方で、「低」信号がＲＳフリップフロップ２５の「Ｒ」によって指示されたリセット入力に加えられたならば、ＲＳフリップフロップ２５の出力が０に設定される。全ての他の場合において、最後の有効出力値が維持される。従って、ミラー信号Ｍは、ＲＳフリップフロップ２５の出力で提供される。
【００２９】
図７は、本発明によるデフェクト検出器５の概略的な説明を表している。このために、４ビットで動作する２進カウンタ２６は、模範となる実施形態で提供される。クロック周波数ｆ３は、クロック入力ＣＫに加えられ、その周波数は、模範となる実施形態においてｆ３＝８８．２ｋＨｚとなる。クロック入力ＣＫに加えられたクロック信号の各立ち上がりエッジにおいて、カウンタは１ビットだけ増加される。この場合、ＱＡは最下位ビットを表し、ＱＤは最上位ビットを表している。ここでＨＦ´として指示された高周波数入力信号ＨＦをデジタル化したものの最上位ビットは、カウンタ２６のリセット入力ＣＬＥＡＲに加えられる。入力信号ＨＦ´がデジタル化すべき範囲の５０％値よりも大きいときに、カウンタ２６は０にリセットされる。２進カウンタ２６のＱＤ出力だけが、言い換えれば最上位ビットが、出力信号、即ちデフェクト信号Ｄを出力する。信号ＨＦ´の値が、クロック周波数ｆ３において少なくとも７個の連続クロックサイクルで最大値の５０％よりも少ないときにのみ、デフェクト信号Ｄ＝１が出力されることをこれは意味する。記録媒体に記録された情報の構造は、通常、５０％以上の対応値が連続に上位を発生するように選択される。従って、７個の連続クロックサイクルの下位値は、デフェクトが提供されることの比較的確実な指示である。外部パラメータに依存して、例えばその選択されたデジタル範囲に、アナログデジタルコンバータ６が、アナログ入力信号ＨＦをデジタル化し、適するデフェクト基準を達成するために、模範となる実施形態に明示された値から、クロック周波数ｆ３及び／又はカウンタ２６のビット数を変更することに有効となるであろう。カウンタ２６の出力の２以上のＡＮＤ又はＯＲの組み合わせに適するならば、同様に、カウンタ２６の出力ＱＣ又は他の出力でデフェクト信号をピックオフすることが可能となる。
【００３０】
図７の下部分は、どのようにデフェクト信号Ｄが所望の最小時間長を有するような簡単な方法で拡張されるかを説明する。このために、デフェクト信号Ｄは、一方で４ビットダウンカウンタ２７に接続され、ＯＲゲート２８の「ロード」入力にも接続される。値１が「ロード」入力Ｌで提供されるならば、そのとき所定のデフェクト定数ＤＣは、ダウンカウンタ２７へロードされる。ダウンカウンタ２７の少なくとも１つのレジスタＡ、Ｂ、Ｃ、Ｄが０でない限り、値１はまた「簿ロー」出力Ｂ´で提供される。出力Ｂ´は、その他の入力にクロック周波数ｆ３が加えられ、ＡＮＤゲート２９の１つの入力に接続される。ＡＮＤゲート２９の出力は、ダウンカウンタ２７のクロック入力ＣＫに加えられる。ダウンカウンタが、そのレジスタの０以外の数を有する限り、カウントダウン動作は、各クロックサイクルｆ３によってトリガされる。カウンタ２７が値０に達するならば、「ボロー」出力Ｂ´はまた値０をとり、ＡＮＤゲート２９は抑止される。ＯＲゲート２８は、デフェクト信号Ｄが値Ｄ＝１をとるとき、及び実質的にダウンカウンタ２７の「ボロー」出力Ｂ´が０でない限り、値Ｄ´＝１を有する拡張されたデフェクト信号Ｄ´を出力する。従って、拡張されたデフェクト信号Ｄ´は、一方でデフェクト定数ＤＣによって、他方でクロック信号ｆ３によって、予め決められた最小時間周期中に値１をとる。デフェクト信号Ｄ又は拡張されたデフェクト信号Ｄ´がないか、又は不十分な変調が所定の時間周期について信号ＨＦにおいて発生する。
【００３１】
本発明による装置において、トラックジャンピングの速度及び精度の両方は、非常に正確なミラー信号が利用できるために増加し、その信号は、特に相互のトラックをカウントするために役立つ。
【図面の簡単な説明】
【００３２】
【図１】本発明による装置のブロック図である。
【図２】本発明による装置内で発生する多数の重要な信号の説明図である。
【図３】第１の実施形態によるエンベロープ検出器の概略的な説明図である。
【図４】第２の実施形態によるエンベロープ検出器の概略的な説明図である。
【図５】適応リファレンス値トランスミッタの概略的な説明図である。
【図６】本発明による比較器ユニットの概略的な説明図である。
【図７】本発明によるデフェクト検出器の概略的な説明図である。
【符号の説明】
【００３３】
１  トラック検出器
２  エンベロープ検出器
３  比較器ユニット
４  リファレンス値トランスミッタ
５  デフェクト検出器
６  アナログデジタルコンバータ
７、２１  インバータ
８  比較器
９、１３  切換器、セレクタ
１０、１０´  記憶部、レジスタ
１１  乗算器
１２、１５、１９、２０  加算器
１４、１７  デジタルフリップフロップ
１６  リミッタ
１８  低減手段
２３、２４  比較器、フリップフロップ
２５  ＲＳフリップフロップ
２６  ２進カウンタ
２７  ダウンカウンタ
２８  ＯＲゲート
２９  ＡＮＤゲート
【図１】
2008269783.tif 000003
【図２】
2008269783.tif 000004
【図３】
2008269783.tif 000005
【図４】
2008269783.tif 000006
【図５】
2008269783.tif 000007
【図６】
2008269783.tif 000008
【図７】
2008269783.tif 000009